(57)【要約】【課題】利便性の高い保持用具を提供する。【解決手段】対象箇所に着脱自在に固定される固定部１１と、固定部１１に設けられた保持部１２で構成し、保持部１２で対象物を保持できるようにする。保持部１２を、幅広のゴム輪２１で形成する。固定部１１を留め金４１と磁石４２で構成し、金属面に着脱自在とする。留め金４１と磁石４２間にゴム輪２１を挿通し、保持部１２を固定部１１に固定する。【選択図】　　　　　図１
2004105413.tif 000002
【特許請求の範囲】
【請求項１】
対象箇所に着脱自在に固定される固定部と、該固定部に設けられ対象物を保持する保持部とからなり、
該保持部を、前記対象物を包囲するリング状であって、その内径を拡張可能な伸縮性を有する帯状体で構成したことを特徴とする保持用具。
【請求項２】
前記保持部の周方向の長さ寸法を、任意の長さに設定する設定手段を備えたことを特徴とする保持用具。
【発明の詳細な説明】
【０００１】
【発明の属する技術分野】
本発明は、箱入りのティッシュペーパーなどを保持する保持用具に関する。
【０００２】
【従来の技術】
従来、冷蔵庫や机や棚などに箱入りのティッシュペーパーを固定する際には、専用器具が用いられていた。
【０００３】
【発明が解決しようとする課題】
しかしながら、このような専用器具にあっては、固定できる物が特定されてしまう。このため、ティッシュペーパーを固定しようとした場合、固定できる箱の外形寸法が限定されてしまい、異なる寸法のティッシュペーパーを固定することができず、不便であった。
【０００４】
本発明は、このような従来の課題に鑑みてなされたものであり、利便性の高い保持用具を提供することを目的とするものである。
【０００５】
【課題を解決するための手段】
前記課題を解決するために本発明の請求項１の保持用具にあっては、対象箇所に着脱自在に固定される固定部と、該固定部に設けられ対象物を保持する保持部とからなり、該保持部を、前記対象物を包囲するリング状であって、その内径を拡張可能な伸縮性を有する帯状体で構成した。
【０００６】
すなわち、この保持用具を使用する際には、先ず固定部を対象箇所に固定する。このとき、この固定部には、対象物を保持する保持部が設けられており、該保持部は、伸縮性を有した帯状体がリング状に形成されてなる。
【０００７】
このため、この保持部内に対象物を保持する際には、帯状体を引張して保持部の内径を拡張し、その内部へ前記対象物を挿入する。すると、保持部に働く縮径方向の力によって、前記対象物は保持部に包囲された状態で保持される。
【０００８】
また、請求項２の保持用具においては、前記保持部の周方向の長さ寸法を、任意の長さに設定する設定手段を備えている。
【０００９】
すなわち、この保持用具には、保持部の周方向の長さ寸法を任意の長さに設定する設定手段が設けられている。このため、縮径した状態の保持部の内径より小さな外径の対象物を保持する場合には、当該対象物の外径より前記保持部の内径を小さく設定することで、このような小径の対象物であっても前記保持部に保持される。
【００１０】
【発明の実施の形態】
以下、本発明の一実施の形態を図に従って説明する。図１は、本実施の形態にかかる保持用具１を示す図であり、該保持用具１は、箱入りのティッシュペーパーやラップやキッチンペーパー、断面円形又は楕円形の容器体に収容された液体洗剤等の対象物を保持して対象箇所である冷蔵庫や机や棚などに固定するものである。
【００１１】
この保持用具１は、図１の（ｂ）に示すように、対象箇所に着脱自在に固定される固定部１１と、該固定部１１に設けられた保持部１２とからなり、該保持部１２によって対象物を保持できるように構成されている。
【００１２】
この保持部１２は、図１の（ａ）に示すように、幅広の帯状体であるゴム輪２１によって形成されており、対象物を包囲するリング状に形成されている。このゴム輪２１は、周方向に伸縮するように構成されており、前記保持部１２は、その内径２２を拡張できるとともに、拡張時には、縮径方向に力が働くように構成されている。
【００１３】
このゴム輪２１は、生ゴムのみならず、布地で覆われたゴム等で形成しても良い。また、その外表面に模様などを印刷することによって、外観品質を高めることができるとともに、消費者の個々の趣味や感性に対するニーズに応ずることができる。さらに、企業名等を印刷することで、宣伝効果を得ることができ、販促品として用いることができる。
【００１４】
また、短冊状のゴム材の両端を接合してリング状の保持部１２を形成したり、その接合部分を面ファスナーで接合するように構成しても良い。この場合、面ファスナーの固定位置を可変することによって保持部１２の周方向の長さ寸法を任意の長さに変更することができる。
【００１５】
そして、前記ゴム輪２１の所定箇所には、ボタン３１が表面（若しくは裏面でも可）取り付けられており、その側部には、ボタン穴３２，・・・が離間した三箇所に設けられている。各ボタン穴３２，・・・は、前記ボタン３１を挿入した状態で掛止できる寸法に形成されており、前記ボタン３１を各ボタン穴３２，・・・のいずれにも掛止しない状態と、いずれかのボタン穴３２，・・・に掛止した状態とを選択的に形成できるように構成されている。これにより、前記保持部１２の周方向の長さ寸法を任意の長さに設定できるように構成されており、前記ボタン３１とボタン穴３２とによって本発明の設定手段が構成されている。
【００１６】
前記固定部１１は、図１の（ａ）に示したように、金属板が断面コ字状に屈曲されてなる留め金４１と、該留め金４１内に固定される磁石４２とによって構成されており、金属面に磁着して着脱自在に固定できるように構成されている。前記留め金４１と前記磁石４２間には、図１の（ｂ）に示したように、前記ゴム輪２１が挿通するように構成されており、前記保持部１２が当該固定部１１に固定されている。
【００１７】
なお、前記固定部１１を磁石４２で構成する場合を例に挙げて説明したが、これに限定されるものでは無く、吸盤等で構成しても良く、この場合スチール製の机や棚以外の対象箇所にも固定することができる。
【００１８】
以上の構成にかかる本実施の形態において、図２に示すように、対象箇所である冷蔵庫５１の扉５２の表面に、対象物としての箱入りのラップ５３を固定する際には、前記保持用具１，１を二個一組で使用する。
【００１９】
すなわち、両保持用具１，１の各固定部１１，１１を前記扉５２の表面に磁着して固定する。このとき、各固定部１１，１１には、ラップ５３を保持する保持部１２，１２が設けられており、該保持部１２，１２は、伸縮自在なゴム輪２１によって形成されている。
【００２０】
このため、各保持部１２，１２内にラップ５３を保持する際には、ゴム輪２１を手で引張して当該保持部１２の内径２２を拡張し、その内部へラップ５３の各端部を挿入して手を離す。すると、保持部１２に働く縮径方向の力によって、前記ラップ５３は保持部１２に包囲された状態で保持される。
【００２１】
これにより、前記ラップ５３の両端部を保持用具１，１を介して冷蔵庫５１の扉５２表面に固定することができる。このとき、前記保持部１２を構成するゴム輪２１を引張し、保持部１２の内径２２を拡張してラップ５３を保持するため、保持する対象物が円筒状であったり、長方形状であっても、これらに適応して固定することができる。
【００２２】
したがって、対象物が特定された専用器具を利用する場合と比較して、形状が異なる対象物や外形寸法が異なる対象物であっても、不具合無く固定することができ、利便性が向上する。
【００２３】
また、前記ラップ５３を、保持部１２に働く縮径方向への力によって、その周囲から包囲した状態で保持することができる。このため、保持部１２を構成するゴム輪２１を矩形状のラップ５３の箱面に沿って密着させることができる。同様に、前記ゴム輪２１をティッシュペーパーやキッチンペーパー等の箱面に密着させたり、円筒状の対象物であっても前記ゴム輪２１を密着して固定することができる。
【００２４】
よって、ティッシュペーパーを固定する為に対向して設けられた平板間に例えば円筒状の対象物を挟んで保持する等、専用器具に特定物以外の物品を保持する場合と比較して、保持力の向上を図ることができる。また、ゴムの摩擦力を、その保持力の向上に利用することもできる。
【００２５】
そして、この保持用具１には、前記保持部１２の周方向の長さ寸法を任意の長さに設定する設定手段がボタン３１とボタン穴３２，・・・によって構成されている。このため、縮径した状態での保持部１２の内径２２より小さな外径の対象物を保持する場合には、前記ボタン３１を、いずれかのボタン穴３２，・・・に掛止し、当該対象物の外径より前記保持部１２の内径２２を小さく設定することによって、このような小径の対象物であっても前記保持部１２に保持することができる。
【００２６】
これにより、保持できる対象物の適用範囲を拡げることができる。
【００２７】
【発明の効果】
以上説明したように、本発明の請求項１の保持用具にあっては、固定部が対象箇所に固定された保持用具の保持部によって対象物を包囲した状態で当該対象物を対象箇所に固定することができる。このとき、前記保持部を構成する帯状体を引張し、保持部の内径を拡張して対象物を保持するため、対象物が円筒状であったり矩形状であっても、これらに適応して固定することができる。
【００２８】
したがって、対象物が特定された専用器具と比較して、形状が異なる対象物や外形寸法が異なる対象物であっても、不具合無く固定することができ、利便性が向上する。
【００２９】
また、前記対象物を、保持部に作用する縮径方向への力によって、その周囲から包囲した状態で保持するため、保持部を構成する帯状体を対象物に沿って密着させることができる。よって、ティッシュペーパーを固定する為に対向して設けられた平板間に円筒状の対象物を挟んで保持する等、専用器具に特定物以外の物品を保持する場合と比較して、保持力の向上を図ることができる。
【００３０】
また、請求項２の保持用具においては、保持部の周方向の長さ寸法を任意の長さに設定する設定手段が設けられている。このため、縮径した状態での保持部の内径より小さな外径の対象物を保持する場合において、当該対象物の外径より前記保持部の内径を小さく設定することで、このような小径の対象物であっても前記保持部に保持することができる。
【００３１】
これにより、保持できる対象物の適用範囲を拡げることができる。
【図面の簡単な説明】
【図１】本発明の一実施の形態を示す図で、（ａ）は分解斜視図であり、（ｂ）は組み立てた状態を示す斜視図である。
【図２】同実施の形態を説明する図で、（ａ）は使用状態を示す説明図であり、（ｂ）は（ａ）のＡ矢示図である。
【符号の説明】
１　　保持用具
１１　　固定部
１２　　保持部
２１　　ゴム輪（帯状体）
２２　　内径
３１　　ボタン
３２　　ボタン穴
５２　　扉（対象箇所）
５３　　ラップ（対象物）
【図１】
2004105413.tif 000003
【図２】
2004105413.tif 000004